(57)【要約】【課題】ユーザの操作性を格段に向上させることができる画像処理方法及び画像処理装置及び画像処理装置の制御プログラム及び記憶媒体を提供する。【解決手段】画像入出力システム１００からの画像読み取り指示を入力する第１の入力画面とＰＣ１９１，１９２にリーダ部１３９を占有させるための指示若しくはＰＣ１９１，１９２からリーダ部１３９を解放するための指示を入力する第２の入力画面とを表示する表示手段と、前記第１の入力画面から前記第２の入力画面に遷移したタイミングでＰＣ１９１，１９２にリーダ部１３９を占有させてＰＣ１９１，１９２からの画像読み取り指示を受け付け可能とするように制御する制御装置１６０とを有する。【選択図】　　　図１
2004088418.tif 000002
【特許請求の範囲】
【請求項１】
外部装置からの画像読み取り指示により画像読取手段で画像データを読み取り、該読み取った画像データを前記外部装置に送信可能な画像処理装置により画像処理する画像処理方法であって、
前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示ステップと、
前記第１の入力画面から前記第２の入力画面に遷移したタイミングで前記外部装置に前記画像読取手段を占有させて前記外部装置からの画像読み取り指示を受け付け可能とするように制御する制御ステップとを有することを特徴とする画像処理方法。
【請求項２】
前記制御ステップは、前記第２の入力画面から前記第１の入力画面に遷移したタイミングで前記外部装置から前記画像読取手段を解放して前記画像処理装置からの画像読み取り指示を受け付け可能とすることを特徴とする請求項１に記載の画像処理方法。
【請求項３】
前記外部装置は、ホストコンピュータであることを特徴とする請求項１または２に記載の画像処理方法。
【請求項４】
外部装置からの画像読み取り指示により画像読取手段で画像データを読み取り、該読み取った画像データを前記外部装置に送信可能な画像処理装置であって、
前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示手段と、
前記第１の入力画面から前記第２の入力画面に遷移したタイミングで前記外部装置に前記画像読取手段を占有させて前記外部装置からの画像読み取り指示を受け付け可能とするように制御する制御手段とを有することを特徴とする画像処理装置。
【請求項５】
前記制御手段は、前記第２の入力画面から前記第１の入力画面に遷移したタイミングで前記外部装置から前記画像読取手段を解放して前記画像処理装置からの画像読み取り指示を受け付け可能とすることを特徴とする請求項４に記載の画像処理装置。
【請求項６】
前記外部装置は、ホストコンピュータであることを特徴とする請求項４または５に記載の画像処理装置。
【請求項７】
外部装置からの画像読み取り指示により画像読取手段で画像データを読み取り、該読み取った画像データを前記外侮装置に送信可能な画像処理装置を制御するためのコンピュータ読み取り可能な制御プログラムであって、前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示ステップと、前記第１の入力画面から前記第２の入力画面に遷移したタイミングで前記外部装置に前記画像読取手段を占有させて前記外部装置からの画像読み取り指示を受け付け可能とするように制御する制御ステップとをコンピュータに実行させるためのプログラムコードから成ることを特徴とする画像処理装置の制御プログラム。
【請求項８】
前記制御ステップは、前記第２の入力画面から前記第１の入力画面に遷移したタイミングで前記外部装置から前記画像読取手段を解放して前記画像処理装置からの画像読み取り指示を受け付け可能とすることを特徴とする請求項５に記載の画像処理装置の制御プログラム。
【請求項９】
前記外部装置は、ホストコンピュータであることを特徴とする請求項７または８に記載の画像処理装置の制御プログラム。
【請求項１０】
請求項７乃至９に記載の制御プログラムを格納したことを特徴とする記憶媒体。
【発明の詳細な説明】
【０００１】
【発明の属する技術分野】
本発明は、ホストコンピュータ等の外部装置からの画像読み取り指示により画像読取手段で画像データを読み取り、該読み取った画像データを前記外部装置に送信可能な画像処理装置及びその画像処理装置により画像処理する画像処理方法及びその画像処理装置を制御するための制御プログラム及びその制御プログラムを格納した記憶媒体に関する。
【０００２】
【従来の技術】
近年、複写機等の画像処理装置において、その操作部からの指示によりスキャン動作を行う以外に、ネットワーク接続された外部装置であるホストコンピュータからの指示によりスキャン動作を受け付けるネットワークスキャナ機能を有するものが提案されている。
【０００３】
このような画像処理装置では、スキャン動作の指示を排他的に制御するために、スキャナ（画像読取手段）を画像処理装置或いはホストコンピュータのいずれかに占有させる指示をユーザに入力させる構成となっている。
【０００４】
【発明が解決しようとする課題】
しかしながら、上記従来の画像処理装置においては、画像処理装置がスキャナを占有している状態でホストコンピュータからネットワークスキャンの指示を行う場合、ホストコンピュータにスキャナを占有させる指示を入力してからでなければ、ネットワークスキャンの指示を受け付ける状態にならないため、ホストコンピュータにスキャナを占有させるための操作が非常に煩雑であった。
【０００５】
また、ホストコンピュータがスキャナを占有している状態で画像処理装置の操作部からコピー動作或いはスキャン動作の指示を行う場合、ホストコンピュータからスキャナを解放する指示を入力してからでないと、コピー動作或いはスキャン動作の指示を受け付ける状態にならないため、ホストコンピュータからスキャナを解放するための操作も非常に煩雑であるという問題点があった。
【０００６】
本発明は、上記従来技術の有する問題点を解決するためになされたもので、その目的は、ユーザの操作性を格段に向上させることができる画像処理方法及び画像処理装置及び画像処理装置の制御プログラム及び記憶媒体を提供することである。
【０００７】
【課題を解決するための手段】
上記目的を達成するために本発明の画像処理方法は、外部装置からの画像読み取り指示により画像読取手段で画像データを読み取り、該読み取った画像データを前記外部装置に送信可能な画像処理装置により画像処理する画像処理方法であって、前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示ステップと、前記第１の入力画面から前記第２の入力画面に遷移したタイミングで前記外部装置に前記画像読取手段を占有させて前記外部装置からの画像読み取り指示を受け付け可能とするように制御する制御ステップとを有することを特徴とする。
【０００８】
また、上記目的を達成するために本発明の画像処理装置は、外部装置からの画像読み取り指示により画像読取手段で画像データを読み取り、該読み取った画像データを前記外部装置に送信可能な画像処理装置であって、前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示手段と、前記第１の入力画面から前記第２の入力画面に遷移したタイミングで前記外部装置に前記画像読取手段を占有させて前記外部装置からの画像読み取り指示を受け付け可能とするように制御する制御手段とを有する。
【０００９】
また、上記目的を達成するために本発明の画像処理装置の制御プログラムは、外部装置からの画像読み取り指示により画像読取手段で画像データを読み取り、該読み取った画像データを前記外侮装置に送信可能な画像処理装置を制御するためのコンピュータ読み取り可能な制御プログラムであって、前記画像処理装置からの画像読み取り指示を入力する第１の入力画面と前記外部装置に前記画像読取手段を占有させるための指示若しくは前記外部装置から前記画像読取手段を解放するための指示を入力する第２の入力画面とを表示する表示ステップと、前記第１の入力画面から前記第２の入力画面に遷移したタイミングで前記外部装置に前記画像読取手段を占有させて前記外部装置からの画像読み取り指示を受け付け可能とするように制御する制御ステップとをコンピュータに実行させるためのプログラムコードから成ることを特徴とする。
【００１０】
更に、上記目的を達成するために本発明の記憶媒体は、前記制御プログラムを格納したことを特徴とする。
【００１１】
【発明の実施の形態】
以下、本発明の一実施の形態について、図面を参照して詳細に説明する。
【００１２】
図１は、本発明の一実施の形態に係る画像処理装置である画像入出力システムの構成を示すブロック図である。
【００１３】
本実施の形態では、画像処理装置として、コピー機能、ボックス機能、ネットワークスキャナ機能、プリンタ機能及び送信機能を有する画像入出力システムを例に挙げて説明する。
【００１４】
図１において、１００は画像入出力システムで、リーダ部１３９と、プリンタ部１４９と、制御装置１６０と、操作部１７０とを備えている。
【００１５】
リーダ部１３９は、原稿を給紙するための原稿給紙ユニット（ＲＤＦ）１３６と、原稿給紙ユニット１３６から給紙された原稿上の画像を読み取るためのスキャナユニット（画像読取手段）１３８とを有している。スキャナユニット１３８により読み取られた画像データは、制御装置１６０に入力される。
【００１６】
プリンタ部１４９は、給紙ユニット１４８と、マーキングユニット１５１と、排紙ユニット１３５とを有する。給紙ユニット１４８は、異なるサイズの記録紙をそれぞれ収容する複数のカセットを搭載し、各カセットから記録紙を給紙する。マーキングユニット１５１は、電子写真方式による画像形成プロセスを有するユニットである。このマーキングユニット１５１においては、ＬＡＮ１９０に接続された外部装置であるＰＣ（ホストコンピュータ）１９１，１９２またはスキャナユニット１３８から制御装置１６０を介して入力された画像データに基づき、給紙ユニット１４８から給紙された記録紙上に画像形成を行う。排紙ユニット１３５は、マーキングユニット１５１により画像形成された記録紙をソート、ステイプル等の処理を施して、装置外部へ排紙する。
【００１７】
制御装置１６０は、リーダ部１３９及びプリンタ部１４９と電気的に接続されると共に、ＰＣ１９１，１９２を収容するＬＡＮ１９０に接続されている。
【００１８】
制御装置１６０は、リーダ部１３９により原稿の画像データを読み取り、この画像データをプリンタ部１４９に出力して、記録紙上に画像を形成するように制御することによって、コピー機能を実現する。
【００１９】
また、制御装置１６０には、ハードディスクドライブ（ＨＤドライブ）１８０が接続され、このハードディスクドライブ１８０の記憶領域は、複数の領域に分割され、各領域には画像データが格納される。
【００２０】
また、制御装置１６０は、このハードディスクドライブ１８０のハードディスクを用いてボックス機能を実現する。
【００２１】
また、制御装置１６０は、ハードディスクドライブ１８０の記憶領域にリーダ部１３９で読み取られた画像データを格納し、該格納した画像データをコードデータに変換した後、ＬＡＮ１９０を介してＰＣ１９１、１９２に送信するように制御することによって、ネットワークスキャナ機能を実現する。
【００２２】
また、制御装置１６０は、ＰＣ１９１，１９２からＬＡＮ１９０を介して受信したコードデータを画像データに変換し、この画像データをプリンタ部１４９に出力するように制御することによって、プリンタ機能を実現する。
【００２３】
更に、制御装置１６０は、リーダ部１３９により原稿の画像データを読み取り、この画像データをＦＴＰやＳＭＢ等の送信プロトコルを用いてＬＡＮ１９０を介して送信したり、ＴＩＦＦやＰＤＦ等のファイル形式で電子メールに添付して送信するように制御することによって、送信機能を実現する。
【００２４】
操作部１７０は、制御装置１６０に対する指示入力等を行うための各種キー及びユーザとのインタフェース画面を表示するための液晶表示パネルを有し、各種キーの操作に応じて対応する信号を発生して、制御装置１６０へ出力する。
【００２５】
次に、リーダ部１３９及びプリンタ部１４９のハードウェア構成について、図２を参照しながら説明する。
【００２６】
図２は、図１の画像入出力システム１００のリーダ部１３９及びプリンタ部１４９のハードウェア構成を模式的に示す図である。
【００２７】
図２において、１００は画像入出力システム（以下、本体と記述する。）で、リーダ部１３９とプリンタ部１４９とを備えている。１３６は原稿給紙ユニットで、原稿載置台１０１に原稿を自動的に給送する。１３５は排紙ユニットで、本体１００から排出される記録紙の仕分けをする。原稿給紙ユニット１３６と排紙ユニット１３５は、本体１００に対して自在に組み合わせて使用できるように構成されている。
【００２８】
１３７は排紙トレイで、原稿給紙ユニット１３６により原稿載置台１０１に給送された原稿を排紙するものである。１４６，１４７はビンで、排紙ユニット１３５により仕分けされた記録紙を排紙するものである。原稿載置台１０１は、原稿給紙ユニット１３６から給送される原稿を載置するもので、透明ガラスから成る。１０２は光学系で、原稿載置台１０１に載置される原稿画像を露光操作するものであり、原稿照明ランプ（露光ランプ）１０３、走査ミラー１４５、レンズ１４３、モータ１０４等から構成されている。
【００２９】
１０６は一次帯電器、１０７はブランク露光ユニット、１０８は電位センサ、１０９は現像器、１１０は転写帯電器、１１１は分離帯電器、１１２はクリーニング装置で、これらが感光体ドラム１０５の周囲に配置される。これら各部１０６〜１１２と感光体ドラム１０５とにより画像形成手段が構成されている。
【００３０】
１１３はモータで、感光体ドラム１０５を図中の矢印方向（時計回り方向）に回転駆動する。１１４は上段カセット、１１５は下段カセットで、記録紙が格納されるものである。１１８，１１９は給紙ローラで、ピックアップローラ１１６，１１７により上段カセット１１４、下段カセット１１５からピックアップされた記録紙を給紙ローラ１３２まで搬送する。
【００３１】
１２４はデッキで、本体１００に装備され、例えば４０００枚の記録紙を収納することができる。１２５はリフタで、デッキ１２４に収納される記録紙が給紙ローラ１２６に常に接するように記録紙の量に応じて上昇する。１２０はレジストローラで、給紙ローラ１３２またはデッキ１２４の給紙ローラ１２６により搬送される記録紙の先端と感光体ドラム１０５上に現像されたトナー像の先端とのタイミングが一致するように記録紙を感光体ドラム１０５へ搬送する。
【００３２】
１２１は搬送ベルトで、トナー像が転写された記録紙を定着器１２２まで搬送する。１２２は定着器で、定着ローラ１４４により記録紙に加圧及び加熱することにより、トナー像を記録紙に定着させる。１２３は排出ローラで、トナー像が定着された記録紙を排紙する。１２７は排紙フラッパで、排出ローラ１２３から送り出された記録紙の搬送経路を両面印刷側または多重印刷側と排出側（排紙ユニット１３５）のいずれかに切り替える。ここで、両面印刷または多重印刷が設定されている場合は、排出ローラ１２３から送り出された記録紙の搬送経路を両面印刷側または多重印刷側に切り替える。
【００３３】
１２８は下搬送パスで、排出ローラ１２３から送り出された記録紙を反転パス１２９を介し、記録紙を裏返して再給紙トレイ１３０に導く。１３１は多重フラッパで、両面印刷と多重印刷の搬送経路を切り替えるものであり、これを左方向に倒すことにより、反転パスを経由させずに記録紙を直接下搬送パス１２８に導くことができる。１３０は再給紙トレイで、下搬送パス１２８から搬送されてくる記録紙を一時的に格納する。給紙ローラ１３２は経路１３３を通じて記録紙を感光体ドラム１０５側に給紙する。１３４は排紙ローラで、排紙フラッパ１２７の近傍に配置され、排紙フラッパ１２７により排出側に切り替えられた記録紙を本体外に排出する。
【００３４】
以下、各部の動作について説明する。
【００３５】
モータ１０４により露光ランプ１０３及び走査ミラー１４５を駆動して、原稿載置台１０１に載置された原稿を走査しつつ露光ランプ１０３で原稿を照明し、原稿からの反射光を走査ミラー１４５とレンズ１４３により感光体ドラム１０５に照射する。感光体ドラム１０５はメインモータ１１３により図１に示す矢印の方向に回転されるものである。一次帯電器１０６により感光体ドラム１０５の表面はコロナ帯電させられており、光学系１０２から原稿の反射光が照射されると感光体ドラム１０５の表面に静電潜像が形成される。この静電潜像は、現像器１０９により現像されてトナー像として可視化される。
【００３６】
一方、上段カセット１１４或いは下段カセット１１５からピックアップローラ１１６，１１７を介し、給紙ローラ１１８、１１９により本体１００内に送られた記録紙がレジストローラ１２０によりトナー像の先端と記録紙の先端とが一致するようにタイミングがとられた後、感光体ドラム１０５に給送され、転写帯電器１１０によりトナー像が転写される。
【００３７】
記録紙にトナー像が転写された後、記録紙は、分離帯電器１１１により感光体ドラム１０５から分離され、搬送ベルト１２１により定着器１２２に導かれて加圧、加熱によりトナー像が記録紙上に定着される。その後、排出ローラ１２３により排出される。また、クリーニング装置１１２により、感光体ドラム１０５の表面が清掃される。
【００３８】
両面印刷時には、排紙フラッパ１２７を上方に上げて、反転パス１２９、搬送パス１２８を介し、記録紙の既に画像形成された面が上になるように再給紙トレイ１３０に格納する。このとき、多重フラッパ１３１を図中の右方向に倒しておく。
【００３９】
一方、多重印刷時には、記録紙の既に画像形成された面が下に位置するように再給紙トレイ１３０に格納され、多重フラッパ１３１は、図中の左方向に倒される。そして、次に行われる裏面印刷時や多重印刷時には、再給紙トレイ１３０に格納されている記録紙が下から１枚ずつ給紙ローラ１３２により経路１３３を介して本体１００のレジストローラ１２０に導かれる。
【００４０】
本体１００から記録紙を反転して排出する際には、排紙フラッパ１２７を図中の上方に上げ、多重フラッパ１３１を図中の右方向に倒し、記録紙を搬送パス１２９側へ搬送し、記録紙の後端が送りローラ１４０を通過した後に、反転ローラ１４２によって送りローラ１４１側へ搬送し、排出ローラ１３４によって、記録紙を反転して本体外へ排出する。
【００４１】
次に、制御装置１６０の詳細構成について、図３を参照しながら説明する。
【００４２】
図３は、図１の画像入出力システム１００における制御装置１６０の構成を示すブロック図である。
【００４３】
制御装置１６０は、図３に示すように、装置全体の制御を行うメインコントローラ２０１を有し、このメインコントローラ２０１には、ＣＰＵ２０２、バスコントローラ２０３、各種Ｉ／Ｆコントローラ回路（図示せず）等が設けられている。また、メインコントローラ２０１には、ＲＯＭ２０４がＩ／Ｆ（インタフェース）２０５を介して、ＤＲＡＭ２０６がＩ／Ｆ（インタフェース）２０７を介して、それぞれ接続されている。
【００４４】
ＣＰＵ２０２は、ＲＯＭ２０４からＩ／Ｆ２０５を介して読み込んだプログラムに従い各種処理を行う。例えば、各ＰＣ１９１，１９２（図１参照）から受信したＰＤＬデータを解釈し、ラスタイメージデータに展開する展開処理等を行う。ＣＰＵ２０２の作業領域は、ＤＲＡＭ２０６により提供される。このＤＲＡＭ２０６には、画像データも格納される。また、本画像処理装置における、後述するフローチャートで示される制御処理は、ＲＯＭ２０４若しくは後述するハードディスク（ＨＤ）１８０ａに格納されている制御プログラムをＤＲＡＭ２０６に読み出し、ＣＰＵ２０２が前記制御プログラムに基づいて処理することにより実現される。
【００４５】
また、メインコントローラ２０１には、コーデック（Ｃｏｄｅｃ）２０８がＩ／Ｆ（インタフェース）２０９を介して接続されている。コーデック２０８は、ＤＲＡＭ２０６に格納されたラスタイメージデータをＭＨ／ＭＲ／ＭＭＲ／ＪＢＩＧ等の方式で圧縮し、また、逆に圧縮され蓄積されたコードデータをラスタイメージデータに伸長する。コーデック２０８の処理に伴う作業領域は、ＳＲＡＭ２１０により提供される。コーデック２０８とＤＲＡＭ２０６との間のデータ転送は、ＤＭＡ方式により行われ、その制御は、バスコントローラ２０３によって行われる。
【００４６】
メインコントローラ２０１には、ネットワークコントローラ２１１がＩ／Ｆ（インタフェース）２１２を介して接続されている。このネットワークコントローラ２１１は、イーサネット（登録商標）等のネットワーク機能を有する。ネットワークコントローラ２０１にはコネクタ２１３が設けられ、このコネクタ２１３は、ＬＡＮ１９０（図１参照）に接続されている。
【００４７】
メインコントローラ２０１には、拡張ボードを接続するための拡張コネクタ２１４及びＩ／Ｏ制御部２１５が汎用高速バス２１６を介して接続されている。この汎用高速バス２１６は、例えばＰＣＩバスから成る。
【００４８】
Ｉ／Ｏ制御部２１５は、リーダ部１３９及びプリンタ部１４９（図１参照）の各ＣＰＵと制御コマンドを送受信するための２チャンネルの同調歩同期シリアル通信コントローラ２１７を含み、Ｉ／Ｏバス２１８を介してスキャナＩ／Ｆ（インタフェース）２１９及びプリンタＩ／Ｆ（インタフェース）２２０と接続されている。
【００４９】
また、Ｉ／Ｏ制御部２１５には、パネルＩ／Ｆ２２１がＩ／Ｆ（インタフェース）２２２を介して接続されている。パネルＩ／Ｆ２２１は、操作部１７０（図１参照）とのインタフェースである。このパネルＩ／Ｆ２２１には、ＬＣＤコントローラ２２３が接続されている。このＬＣＤコントローラ２２３は、操作部１７０（図１参照）に設けられた液晶表示パネルの駆動を行う。また、パネルＩ／Ｆ２２１は、操作部１７０（図１参照）のハードキー、ソフトキーの操作に応じて入力されたキー信号を取り込むためのＩ／Ｆ２２２を含む。
【００５０】
Ｉ／Ｏ制御部２１５には、装置内で管理する日時を更新、保存するためのリアルタイムクロックモジュール２２３及びＥ−ＩＤＥコネクタ２２４が接続されている。このリアルタイムクロックモジュール２２３は、バックアップ用電池２２５でバックアップされている。Ｅ−ＩＤＥコネクタ２２４は、外部記憶装置を接続するためのコネクタであり、このＥ−ＩＤＥコネクタ２２４にハードディスク、ＭＯドライブ等の外部記憶装置を接続することによって、この外部記憶装置に画像データを書き込み、また読み出すことができる。
【００５１】
本実施の形態では、Ｅ−ＩＤＥコネクタ２２４にハードディスクドライブ（ＨＤドライブ）１８０が接続され、このＨＤドライブ１８０は、ハードディスク１８０ａを駆動する。
【００５２】
スキャナＩ／Ｆ２１９は、スキャナバス２２６を介してメインコントローラ２０１に接続され、また、リーダ部１３９（図１参照）と接続するコネクタ２２７が設けられている。スキャナＩ／Ｆ２１９とコネクタ２２７とは、同調歩同期シリアルＩ／Ｆ２２８，２２９を介して接続されている。スキャナＩ／Ｆ２１９は、リーダ部１３９（図１参照）から受け取った画像に対して最適な二値化処理、変倍処理等を行う処理機能を有する。また、スキャナＩ／Ｆ２１９は、リーダ部１３９（図１参照）から受け取ったビデオ制御信号に基づき制御信号を生成し、この制御信号をスキャナバス２２６を介してメインコントローラ２０１に出力する機能を有する。ここで、スキャナバス２２６からＤＲＡＭ２０６へのデータ転送は、バスコントローラ２０３により制御される。
【００５３】
同様に、プリンタＩ／Ｆ２２０は、プリンタバス２３０を介してメインコントローラ２０１に接続されている。また、プリンタＩ／Ｆ２２０には、プリンタ部１４９と接続するコネクタ２３１が設けられている。プリンタＩ／Ｆ２２０とコネクタ２３１とは、同調歩同期シリアルＩ／Ｆ２３２及びビデオＩ／Ｆ２３３を介して接続されている。
【００５４】
プリンタＩ／Ｆ２２０は、メインコントローラ２０１から出力された画像データにスムージング処理を施してプリンタ部１４９（図１参照）へ出力する機能を有する。またプリンタＩ／Ｆ２２０は、プリンタ部１４９（図１参照）から受け取ったビデオ制御信号に基づき制御信号を生成し、この制御信号をプリンタバス２３０を介してメインコントローラ２０１に出力する機能を有する。
【００５５】
ＤＲＡＭ２０６上で展開されたラスタイメージデータのプリンタ部１４９（図１参照）への転送は、バスコントローラ２０３によって制御され、プリンタバス２３０、ビデオＩ／Ｆ２３３を経由してプリンタ部１４９（図１参照）へ転送される。
【００５６】
次に、操作部１７０の詳細構成について、図４を参照しながら説明する。
【００５７】
図４は、図１の画像入出力システム（本体）１００における操作部１７０のキー配列を示す平面図である。
【００５８】
図４において、４０１は電源スイッチで、本体１００（図１参照）への通電を制御する。４０２は予熱キーで、予熱モードのＯＮ／ＯＦＦ切り換えを行う場合に使用するキーである。４０３はスタートキーで、コピー動作或いはスキャン動作の開始を指示する場合に使用するキーである。４０４はストップキーで、コピー動作或いはスキャン動作を中断したり、中止したりする場合使用するキーである。４０５はリセットキーで、スタンバイ中は標準モードに復帰させる場合に使用するキーである。
【００５９】
４０６はガイドキーで、各機能を知りたいばあいに使用するキーである。４０７はユーザモードキーで、ユーザが本体１００（図１参照）の基本設定を変更する場合に使用するキーである。４０８はテンキーで、数値の入力を行う場合に使用するキーである。４０９はクリアキーで、数値をクリアする場合に使用するキーである。４１０はＩＤキーで、複写機を使用する場合にＩＤの入力モードに移行する場合に使用するキーである。４１１はカウンタ確認キーで、それまでに使用したコピー枚数の集計をＬＣＤタッチパネル４１３に表示させる場合に使用するキーである。４１２は調整キーで、ＬＣＤタッチパネル４１３のコントラストを調整する場合に使用するキーである。
【００６０】
４１３はＬＣＤタッチパネルで、液晶画面とタッチセンサとの組み合わせから成り、各機能毎に個別の設定画面が表示され、更に、描画されたキーに触れることで、各種の詳細な設定を行うことが可能である。また、ＬＣＤタッチパネル４１３は、各々のジョブの動作状況表示等も行う。４１４はジョブの実行中や画像データの蓄積中を示すＬＥＤ（発光ダイオード）で、緑色に点滅する。４１５はエラーＬＥＤで、ジャム、ドアオープン等装置がエラー状態にある場合に赤色に点滅する。４１６は電源ＬＥＤで、本体１００の電源がＯＮ／ＯＦＦになっていることを示すものである。
【００６１】
図５は、図１の画像入出力システム（本体）１００の操作部１７０に表示されるコピー標準画面の一例を示す模式図であり、電源投入時、図４に示したリセットキー４０５を押下後、コピー動作終了後等の標準状態におけるＬＣＤタッチパネル４１３に表示される。
【００６２】
図５において、５０１はメッセージ表示欄で、本体１００、ＲＤＦ１３６、ソータ１３５等の状態、設定されている置数、設定されている倍率、指定した用紙サイズ等が表示される。５０２はステータス表示欄で、メッセージ表示欄５０１で表示する必要のない優先度の低いアラームや、他の機能の実行状態等が表示される。
【００６３】
５０３、５０５は濃度調整キーで、５０３はコピー濃度を薄くしたい場合に使用し、５０５はコピー濃度を濃くしたい場合に使用するキーである。５０４は自動キーで、原稿の濃度に対してコピー濃度を自動的に調整したい場合に使用するキーである。
【００６４】
５０６は倍率キーで、倍率を設定してコピーを行う場合及び原稿サイズと用紙サイズから自動的に倍率を計算して行うオートズーム機能または原稿上での画像の長さとコピー後の画像の長さを指定して倍率の計算を行うズームプログラム機能を行う場合に使用するキーである。５０７は等倍キーで、倍率を１００％に設定する場合に使用するキーである。
【００６５】
５０８は用紙選択キーで、原稿サイズと複写倍率とから自動的に転写紙を選択する自動用紙選択機能を使用する場合または用紙サイズを指定する場合に使用するキーである。５０９はソータキーで、ソータ１３５が装着されている場合にのみ表示され、ソータ１３５の出力形態、ステイプルの位置の設定等を行う場合に使用するキーである。５１０は両面キーで、転写紙の両面に読み取った原稿画像を出力したり両面原稿を扱う場合に使用するキーである。
【００６６】
５１１は自動カラー選択キーで、原稿がカラーか白黒かを自動的に判別し、カラーならばカラーで、白黒ならば黒単色でスキャンするモードを設定する場合に使用するキーである。５１２は文字／写真／地図キーで、文字、写真及び地図が混在した原稿をコピーするのに適した濃度に自動的に設定する文字／写真／地図モードを設定する場合に使用するキーである。５１３は割り込みキーで、コピー動作中に割り込みしてコピーしたい場合に使用するキーである。
【００６７】
５１４は応用モードキーで、複写装置が有する種々の機能を行う場合に使用するキーである。５１９はシステム状況キーであり、本体１００で現在行われているシステムの状況を知りたい場合に使用するキーである。このシステム状況キー５１９は、コピー標準画面だけなく、常にこの位置に現れており、いつでもこのキーを使用することにより、システム状況を見ることができるようになっている。
【００６８】
５１５はコピーキーで、複数の機能の中からコピー機能を選択する場合に使用するキーである。５１６は送信キーで、複数の機能の中から送信機能を選択する場合に使用するキーである。この送信キー５１６を押下すると、送信標準画面（図示せず）が表示される。５１７はボックスキーで、複数の機能の中からボックス機能を選択する場合に使用するキーである。このボックスキー５１７を押下すると、ボックス標準画面（図示せず）が表示される。５１８は拡張キーで、複数の機能の中からネットワークスキャナ機能を選択する場合に使用するキーである。この拡張キー５１８を押下すると、後述する図６に示されるネットワークスキャナ標準画面６００が表示される。
【００６９】
図６は、図１の画像入出力システム（本体）１００の操作部１７０に表示されるネットワークスキャナ標準画面の一例を示す模式図であり、図４に示したＬＣＤタッチパネル４１３上に表示されるコピー標準画面５００、送信標準画面或いはボックス標準画面上で拡張キー５１８を押下することにより表示される。
【００７０】
図６において、図５と同一部分には同一符号が付してある。
【００７１】
図６において、６００はネットワークスキャナ標準画面、６０１はオンラインキー、６０２はオフラインキー、６０３はスキャナ機能の状態表示欄で、ネットワークスキャナ機能の状態が表示される。
【００７２】
オンラインキー６０１は、ネットワークスキャナ機能を実行するときに使用するキーである。このオンラインキー６０１を押下することによって、ＰＣ１９１，１９２（図１参照）にリーダ部１３９（図１参照）を占有させ、ＰＣ１９１，１９２からのスキャン動作の指示を受付可能な状態となる。このとき、ステータス表示欄５０２には「スキャナ　オンライン中です。」というメッセージが表示される。
【００７３】
尚、コピー標準画面５００、送信標準画面或いはボックス標準画面からネットワークスキャナ標準画面６００に遷移した際には、オンラインキー６０１が押下されている状態にある。
【００７４】
オフラインキー６０２は、ネットワークスキャナ機能において実行中のジョブを中断する場合や本体１００からＰＣ１９１，１９２（図１参照）への画像データの転送を中止する場合に使用するキーである。このオフラインキー６０２を押下することによって、ＰＣ１９１，１９２（図１参照）からリーダ部１３９（図１参照）を解放し、ＰＣ１９１，１９２（図１参照）からのスキャン動作の指示を受付不可能な状態となる。
【００７５】
また、図６において、コピーキー５１５、送信キー５１６或いはボックスキー５１７を押下した場合にも、ＰＣ１９１，１９２（図１参照）からリーダ部１３９（図１参照）を解放し、ＰＣ１９１，１９２（図１参照）からのスキャン動作の指示を受付不可能な状態となる。
【００７６】
以下、スキャン動作指示の受付制御手順について、図７のフローチャートを参照して説明する。
【００７７】
図７は、図１の画像入出力システム１００におけるスキャン動作指示の受付制御手順を示すフローチャートである。
【００７８】
まず、ステップＳ７０１において、タッチパネル４１３からの入力を監視する。いずれかの入力があると、ステップＳ７０２へ移行し、図５に示した拡張キー５１８が押下されたか否かを判定する。もし押下されないと判断された場合は、前記ステップＳ７０１へ戻り、タッチパネル４１３からの入力を監視する。
【００７９】
一方、前記ステップＳ７０２において、拡張キー５１８が押下されたと判断された場合は、次のステップＳ７０３において、ＰＣ１９１またはＰＣ１９２にリーダ部１３９を占有させる。
【００８０】
次に、ステップＳ７０４において、タッチパネル４１３に図６で示したネットワークスキャナ標準画面６００を表示させ、次のステップＳ７０５に移行し、オンラインキー６０１を押下状態にする。
【００８１】
次に、ステップＳ７０６において、ＰＣ１９１またはＰＣ１９２からリーダ部１３９に接続要求が来ると、次のステップＳ７０７において、リーダ部１３９を使用したジョブが存在するか否かを判定する。そして、リーダ部１３９を使用したジョブが存在すると判断された場合は、次のステップＳ７０８へ移行し、接続要求を出したＰＣ１９１またはＰＣ１９２上に「スキャナが使用されているため接続できません」という警告情報を表示した後、前記ステップＳ７０６へ戻る。
【００８２】
一方、前記ステップＳ７０７において、リーダ部１３９を使用したジョブが存在しないと判断された場合は、次のステップＳ７０９において、ＰＣ１９１またはＰＣ１９２とリーダ部１３９とを接続する。
【００８３】
次に、ステップＳ７１０において、ＰＣ１９１またはＰＣ１９２からネットワークスキャナ機能を使用するジョブを投入する。ジョブが投入されると、次のステップＳ７１１において、リーダ部１３９で原稿から画像データを読み取り、その読み取った画像データをハードディスクドライブ１８０の記憶領域に格納する。
【００８４】
次に、ステップＳ７１２において、画像データをコードデータに変換した後、次のステップＳ７１３において、コードデータをＰＣ１９１またはＰＣ１９２に転送する。次に、ステップＳ７１４において、ＰＣ１９１またはＰＣ１９２とリーダ部１３９との接続を切断した後、本処理動作を終了する。
【００８５】
以下、リーダ部１３９の解放制御手順について、図８のフローチャートを参照して説明する。
【００８６】
図８は、図１の画像入出力システム（本体）１００におけるリーダ部１３９の解放制御手順を示すフローチャートである。
【００８７】
まず、ステップＳ８０１において、タッチパネル４１３からの入力を監視する。いずれかの入力があると、次のステップＳ８０２へ移行し、図６に示したシステム状況キー５１９が押下されたか否かを判定する。そして、システム状況キー５１９が押下されたと判断された場合は、次のステップＳ８０３へ移行し、タッチパネル４１３にシステム状況画面（図示せず）を表示させた後、本処理動作を終了する。
【００８８】
一方、前記ステップＳ８０２において、システム状況キー５１９が押下されないと判断された場合は、ステップＳ８０４へ移行し、ＰＣ１９１またはＰＣ１９２が占有しているリーダ部１３９を解放する。
【００８９】
次に、ステップＳ８０５において、図６に示したコピーキー５１５が押下されたか否かを判定する。そして、コピーキー５１５が押下されたと判断された場合は、次のステップＳ８０６へ移行し、タッチパネル４１３に図５で示したコピー標準画面を表示させさせた後、本処理動作を終了する。
【００９０】
一方、前記ステップＳ８０５において、コピーキー５１５が押下されないと判断された場合は、ステップＳ８０７において、図６に示した送信キー５１６が押下されたか否かを判定する。そして、送信キー５１６が押下されたと判断された場合は、次のステップＳ８０８へ移行し、タッチパネル４１３に送信標準画面（図示せず）を表示させた後、本処理動作を終了する。
【００９１】
一方、前記ステップＳ８０７において、送信キー５１６が押下されないと判断された場合は、ステップＳ８０９において、図６に示したボックスキー５１７が押下されたか否かを判定する。そして、ボックスキー５１７が押下されたと判断された場合は、次のステップＳ８１０へ移行し、タッチパネル４１３にボックス標準画面（図示せず）を表示させた後、本処理動作を終了する。
【００９２】
一方、前記ステップＳ８０９において、ボックスキー５１７が押下されないと判断された場合は、ステップＳ８１１において、図６に示したオフラインキー６０２が押下されたと判断され、オフラインキー６０２を押下状態にした後、本処理動作を終了する。
【００９３】
以上に説明したように、本実施形態によれば、ネットワークスキャナ機能を有する画像処理装置において、コピー機能や送信機能等のネットワークスキャナ機能以外の機能の指示を入力する画面からネットワークスキャナ機能の指示を入力する画面に移るタイミングで、ホストコンピュータ１９１，１９２からのネットワークスキャンの指示を受付可能とし、即ち、ネットワークスキャナ機能の指示を入力する画面への遷移に連動してホストコンピュータからのネットワークスキャンの指示を受付許可状態にし、また、ネットワークスキャナ機能の指示を入力する画面からネットワークスキャナ機能以外の機能の指示を入力する画面に移るタイミングで、コピー動作或いはスキャン動作の指示を受付可能、即ち、ネットワークスキャナ機能以外の機能の指示を入力する画面への遷移に連動してネットワークスキャナ機能以外の機能の指示を受付可能状態とすることにより、ユーザによるホストコンピュータ１９１，１９２にスキャナを占有させるための操作とホストコンピュータ１９１，１９２からスキャナを解放するための操作が省かれるため、ユーザの操作性の大幅な向上が期待できる。
【００９４】
（その他の実施の形態）
本発明の目的は、上記実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成されることは言うまでもない。
【００９５】
この場合、記憶媒体から読み出されたプログラムコード自体が前述した実施の形態の機能を実現することになり、そのプログラムコードを記憶した記憶媒体は本発明を構成することになる。
【００９６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。
【００９７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００９８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【００９９】
【発明の効果】
以上説明したように、本発明によれば、外部装置からの画像読み取り指示を行う場合に、ユーザによる前記外部装置に画像読取手段を占有させるための操作を省略することができ、ユーザの操作性を格段に向上させることができる。
【０１００】
また、本発明によれば、ユーザによる前記外部装置から前記画像読取手段を解放するための操作を省略することができ、ユーザの操作性を格段に向上させることができる。
【図面の簡単な説明】
【図１】本発明の一実施の形態に係る画像処理装置である画像入出力システムの構成を示すブロック図である。
【図２】図１に示す画像入出力システムにおけるリーダ部及びプリンタ部のハードウェア構成を模式的に示す図である。
【図３】図１に示す画像入出力システムにおける制御装置の構成を示すブロック図である。
【図４】図１に示す画像入出力システムにおける操作部のキー配列を示す平面図である。
【図５】図１に示す画像入出力システムにおける操作部に表示されるコピー標準画面の一例を示す模式図である。
【図６】図１に示す画像入出力システムにおける操作部に表示されるネットワークスキャナ標準画面の一例を示す模式図である。
【図７】図１に示す画像入出力システムにおけるスキャン動作指示の受付制御手順を示すフローチャートである。
【図８】図１に示す画像入出力システムにおけるリーダ部の解放制御手順を示すフローチャートである。
【符号の説明】
１００　　画像入出力システム（画像処理装置、本体）
１０１　　原稿載置台
１０２　　光学系
１０３　　原稿照明ランプ（露光ランプ）
１０４　　モータ
１０５　　感光体ドラム
１０６　　一次帯電器
１０７　　ブランク露光ユニット
１０８　　電位センサ
１０９　　現像器
１１０　　転写帯電器
１１１　　分離帯電器
１１２　　クリーニング装置で、これらが感光体ドラム１０５の周囲に配置
１１３　　モータ
１１４　　上段カセット
１１５　　下段カセット
１１６　　ピックアップローラ
１１７　　ピックアップローラ
１１８　　給紙ローラ
１１９　　給紙ローラ
１２０　　レジストローラ
１２１　　搬送ベルト
１２２　　定着器
１２３　　排出ローラ
１２４　　デッキ
１２５　　リフタ
１２６　　給紙ローラ
１２７　　排紙フラッパ
１２８　　下搬送パス
１２９　　反転パス
１３０　　再給紙トレイ
１３１　　多重フラッパ
１３２　　給紙ローラ
１３３　　経路
１３４　　排紙ローラ
１３５　　排紙ユニット
１３６　　原稿給紙ユニット（ＲＤＦ）
１３７　　排紙トレイ
１３８　　スキャナユニット（画像読取手段）
１３９　　リーダ部
１４０　　送りローラ
１４１　　送りローラ
１４２　　反転ローラ
１４３　　レンズ
１４４　　定着ローラ
１４５　　ミラー
１４６　　ビン
１４７　　ビン
１４８　　給紙ユニット
１４９　　プリンタ部
１５１　　マーキングユニット
１６０　　制御装置
１７０　　操作部
１８０　　ハードディスクドライブ（ＨＤドライブ）
１８０ａ　　ハードディスク（ＨＤ）
１９０　　ＬＡＮ
１９１　　ＰＣ（ホストコンピュータ、外部装置）
１９２　　ＰＣ（ホストコンピュータ、外部装置）
２０１　　メインコントローラ
２０２　　ＣＰＵ
２０３　　バスコントローラ
２０４　　ＲＯＭ
２０５　　Ｉ／Ｆ（インタフェース）
２０６　　ＤＲＡＭ
２０７　　Ｉ／Ｆ（インタフェース）
２０８　　コーデック（Ｃｏｄｅｃ）
２０９　　Ｉ／Ｆ（インタフェース）
２１０　　ＳＲＡＭ
２１１　　ネットワークコントローラ
２１２　　Ｉ／Ｆ（インタフェース）
２１３　　コネクタ
２１４　　拡張コネクタ
２１５　　Ｉ／Ｏ制御部
２１６　　汎用高速バス
２１７　　同調歩同期シリアル通信コントローラ
２１８　　Ｉ／Ｏバス
２１９　　スキャナＩ／Ｆ（インタフェース）
２２０　　プリンタＩ／Ｆ（インタフェース）
２２１　　パネルＩ／Ｆ
２２２　　Ｉ／Ｆ（インタフェース）
２２３　　ＬＣＤコントローラ
２２４　　リアルタイムクロックモジュール
２２５　　Ｅ−ＩＤＥコネクタ
２２６　　バックアップ用電池
２２７　　スキャナバス
２２８　　コネクタ
２２９　　同調歩同期シリアルＩ／Ｆ
２３０　　同調歩同期シリアルＩ／Ｆ
２３１　　プリンタバス
２３２　　コネクタ
２３３　　同調歩同期シリアルＩ／Ｆ
２３４　　ビデオＩ／Ｆ
４０１　　電源スイッチ
４０２　　予熱キー
４０３　　スタートキー
４０４　　ストップキー
４０５　　リセットキー
４０６　　ガイドキー
４０７　　ユーザモードキー
４０８　　テンキー
４０９　　クリアキー
４１０　　ＩＤキー
４１１　　カウンタ確認キー
４１２　　調整キー
４１３　　ＬＣＤタッチパネル
４１４　　ＬＥＤ（発光ダイオード）
４１５　　エラーＬＥＤ
４１６　　電源ＬＥＤタッチパネル
５００　　コピー標準画面
５０１　　メッセージ表示欄
５０２　　ステータス表示欄
５０３　　濃度調整キー
５０４　　自動キー
５０５　　濃度調整
５０６　　倍率キー
５０７　　等倍キー
５０８　　用紙選択キー
５０９　　ソータキー
５１０　　両面キー
５１１　　自動カラー選択キー
５１２　　文字／写真／地図キー
５１３　　割り込みキー
５１４　　応用モードキー
５１５　　コピーキー
５１６　　送信キー
５１７　　ボックスキー
５１８　　拡張キー
５１９　　システム状況キー
６００　　ネットワークスキャナ標準画面
６０１　　オンラインキー
６０２　　オフラインキー
６０３　　スキャナ機能の状態表示欄
【図１】
2004088418.tif 000003
【図２】
2004088418.tif 000004
【図３】
2004088418.tif 000005
【図４】
2004088418.tif 000006
【図５】
2004088418.tif 000007
【図６】
2004088418.tif 000008
【図７】
2004088418.tif 000009
【図８】
2004088418.tif 000010